(57)【要約】  通常のドラムの発生音に近い音色を得つつ、打撃に起因するドラムヘッドの破損の可能性を低減させ、打撃時の発生音の音量の低減を可能にする。  有効振動膜部１２の外周領域１２Ａに、複数の開口孔１５が形成されている。複数の開口孔１５は、有効振動膜部１２の周方向に沿って等間隔に配列されている。ドラムヘッド１の打面とは反対側の面には、開口孔１５を塞ぐ保護膜１６が開口孔１５毎に設けられている。保護膜１６は、メッシュ状の薄膜である。保護膜１６の形状は、開口孔１５の形状と近似しているが、保護膜１６の面積は、開口孔１５の面積よりも大きい。そのため、保護膜１６には、保護膜１５と重複する部分が生じる。この重複部分が固着部１６Ａである。ヘッド部１１に保護膜１６を固着することで、打撃時に保護膜１６がヘッド部１１から剥離することが回避される。
2017056993.tif 000002
【特許請求の範囲】
【請求項１】
外周に沿って開口孔が形成されたヘッド部と、
前記開口孔を塞ぎ、通気性を有する保護膜と、
を有するドラムヘッド。
【請求項２】
前記保護膜の面積は、前記開口孔の面積よりも大きい
ことを特徴とする請求項１に記載のドラムヘッド。
【請求項３】
前記ヘッド部は打撃される第１面を備え、
前記保護膜は、前記ヘッド部の前記第１面の裏面である第２面に固定される請求項１又は２に記載のドラムヘッド。
【請求項４】
前記保護膜は、その外縁が前記開口孔の外縁を囲むように前記ヘッド部の前記第２面に固定される請求項３に記載のドラムヘッド。
【請求項５】
前記保護膜は、前記保護膜の前記外縁と前記開口孔の外縁の間の部位で、前記ヘッド部の前記第２面に固定される請求項４に記載のドラムヘッド。
【請求項６】
前記開口孔は、前記ヘッド部の前記外周に沿って配列された複数の開口孔であり、
前記保護膜は、前記複数の開口孔のすべてを塞ぐ１つの保護膜である請求項３に記載のドラムヘッド。
【請求項７】
前記１つの保護膜は、前記複数の開口孔の各々の外縁を囲む部位で、前記ヘッドの前記第２面に固定される請求項６に記載のドラムヘッド。
【請求項８】
前記保護膜は、メッシュ状である
ことを特徴とする請求項１から７のいずれか１の請求項に記載のドラムヘッド。
【請求項９】
前記保護膜のメッシュは、開口率が３０パーセント以上、且つ６０パーセント以下である請求項１から８のいずれか１の請求項に記載のドラムヘッド。
【請求項１０】
前記ヘッド部及び前記保護膜は、ＰＥＴ樹脂で形成され、
前記ヘッド部及び前記保護膜は、超音波振動によって溶解することにより互いに固定される請求項１から９のいずれか１の請求項に記載のドラムヘッド。
【請求項１１】
前記ヘッド部及び前記保護膜は、前記ヘッド部及び前記保護膜の間に配置されたホットメルト材が溶解することにより互いに固定される請求項１から９のいずれか１の請求項１に記載のドラムヘッド。
【請求項１２】
請求項１から１１のいずれか１の請求項に記載のドラムヘッドを有するドラム。
【発明の詳細な説明】
【技術分野】
【０００１】
本発明は、ドラムの打撃時の発生音の音量を低減する技術に関する。
【背景技術】
【０００２】
一般に、アコースティックドラムでは、ドラムヘッドを打撃した際に発生する発生音の音量が大きい。このため、ドラムを演奏する場所や、ドラムと共に演奏する他の楽器との音量のバランスによっては、音量を低減する必要がある。【０００３】
そこで、ドラムの音量（発生音の音量）を低減する様々な構造が提案されている。例えば特許文献１には、ドラムヘッドの打面やこれと反対側の面の一部領域に各種ミュート部材を取り付けた構造が開示されている。この構造では、ドラムヘッドを打撃した際のドラムヘッドの振動をミュート部材によって吸収することで、発生音の音量低減が実現される。【０００４】
また、例えば特許文献２には、開口径が微小（例えばコンマ数ｍｍ〜数ｍｍ程度）の多数の小孔を全体に形成した構造のドラムヘッドが開示されている。この構造では、多数の小孔により、ドラムヘッドの開口率が高くなる。そのため、ドラムヘッドが打撃されて振動しても、ドラムヘッドの振幅が小さくなり、発生音の音量低減が実現される。
【先行技術文献】
【特許文献】
【０００５】
【特許文献１】米国特許第５６３７８１９号明細書
【特許文献２】特許第３８３５０８４号公報
【発明の概要】
【発明が解決しようとする課題】
【０００６】
しかしながら、特許文献１のようにミュート部材をドラムヘッドに取り付けた構造のドラムでは、打撃時の発生音におけるサステインの長さが、ミュート部材を設けない通常の構造のドラムと比較して非常に短くなって、音の伸びがなくなる。そのため、ミュート部材を用いたドラムの発生音は、通常のドラムの発生音と比較して、明るさのない不自然な音色（劣化した音色）となる、という問題がある。【０００７】
また、特許文献２のように多数の小孔が形成されているドラムヘッドでは、各小孔を通じてドラムの内外に空気が流出入する際のエネルギー損失（すなわち、摩擦損失）が大きく、発生音のサステインの長さが通常のドラムの発生音と比較して非常に短くなる。つまり、特許文献１に開示の技術と同様に、不自然な音色となる、という問題がある。【０００８】
このように、特許文献１や特許文献２に開示の技術は、音色の劣化を生じさせるため、聴衆に演奏を披露する際の音量低減には適さない。また、特許文献２に開示の技術では、ドラムヘッドの小孔近傍に応力集中が発生し、打撃時にドラムヘッドが破損する可能性がある。【０００９】
本発明は、上述した事情に鑑みてなされたものであって、通常のドラムの発生音に近い音色を得つつ、打撃に起因するドラムヘッドの破損の可能性を低減させ、打撃時の発生音の音量の低減を可能にする技術を提供することを目的とする。
【課題を解決するための手段】
【００１０】
上記課題を解決するために本発明は、外周に沿って開口孔が形成されたヘッド部と、開口孔を塞ぎ、通気性を有する保護膜と、を有するドラムヘッドを提供する。【００１１】
本発明のドラムヘッドにおいては、開口孔は保護膜によって塞がれ、開口孔の縁部は保護膜によって保護されているので、本発明のドラムヘッドを装着したドラムであれば、打撃に起因するドラムヘッドの破損の可能性を低減することができる。このため、開口孔を大きくし、ドラムヘッドの開口率を高くすることができ、打撃時の発生音の音量を低減することができる。加えて、保護膜は通気性を有するので、開口孔を通じてドラムの内外に流出入する空気の流れが阻害されることはなく、通常のドラム（開口孔の無いドラムヘッドを装着したドラム）の発生音に近い音色を得ることができる。【００１２】
より好ましい態様としては、保護膜の面積は、開口孔の面積よりも大きい。この態様によれば、保護膜とヘッド部の重複部分を糊代として保護膜をヘッド部に強固に固着することができる。また、保護膜の固着により、開口孔の縁部の強度が増し、打撃に起因するドラムヘッドの破損の可能性をより低減することができる。【００１３】
より好ましい態様としては、ヘッド部は、打撃される第１面を備え、保護膜は、ヘッドの第1面の裏面である第２面に固定される。また、保護膜は、その外縁が開口孔の外縁を囲むようにヘッド部の第２面に固定される。この態様によれば、第１面に影響を与えることなく、保護膜をヘッド部に固定することができる。
また、より好ましい態様としては、保護膜は、保護膜の外縁と開口孔の外縁の間の部位で、ヘッド部の第２面に固定される。この態様によれば、確実に保護膜によってヘッド部の開口孔を塞ぐことができる。
また、より好ましい態様としては、開口孔がヘッド部の外周に沿って配列された複数の開口孔であり、保護膜は、複数の開口孔のすべてを塞ぐ１つの保護膜である。また、１つの保護膜は、複数の開口孔の各々の外縁を囲む部位で、ヘッドの第２面に固定される。この態様によれば、１つの保護膜によって複数の開口孔が塞がれるため、保護膜のヘッド部への固定が容易化される。
また、より好ましい態様としては、保護膜は、メッシュ状である。この態様のドラムヘッドを装着したドラムであれば、保護膜が開口孔を通じてドラムの内外に流出入する空気の流れをより阻害しないので、より通常のドラムの発生音に近い音色を得ることができる。
また、より好ましい態様としては、保護膜のメッシュは、開口率が３０パーセント以上。且つ６０パーセント以下である。この態様によれば、通常のヘッド部に比較して、音色の低下の少ないドラムヘッドを実現することが可能となる。
また、ヘッド部及び保護膜は、ＰＥＴ樹脂で形成され、ヘッド部及び保護膜は、超音波振動により溶解し、互いに固定される。この態様によれば、良好に保護膜をヘッド部に固定することができる。
また、より好ましい態様としては、ヘッド部及び保護膜は、ヘッド部及び保護膜の間に配置されたホットメルト材が溶解することにより互いに固定される。この態様によれば、良好に保護膜をヘッド部に固定することが可能となる。【００１４】
本発明の別の態様としては、上記各態様のいずれかのドラムヘッドを有するドラムを提供する。この態様によれば、通常のドラムの発生音に近い音色を得つつ、打撃に起因するドラムヘッドの破損の可能性を低減させ、打撃時の発生音の音量を低減することができる。
【図面の簡単な説明】
【００１５】
【図１】本発明の第１実施形態のドラムに用いられるドラムヘッドを示しており、（ａ）は平面図、（ｂ）は（ａ）の側面図、（ｃ）は（ａ）のＩＢ−ＩＢ矢視断面図である。
【図２】本発明の第２実施形態のドラムに用いられるドラムヘッドを示しており、（ａ）は平面図、（ｂ）は（ａ）の側面図、（ｃ）は（ａ）のIIＢ−IIＢ矢視断面図である。
【図３】本発明の変形例（２）のドラムに用いられるドラムヘッドを示しており、（ａ）は平面図、（ｂ）は（ａ）の側面図、（ｃ）は（ａ）のIIIＢ−IIIＢ矢視断面図である。
【発明を実施するための形態】
【００１６】
以下、図面を参照しつつ、本発明の実施の形態について説明する。
＜第１実施形態＞
図１は、本発明の第１実施形態のドラムに用いられるドラムヘッド１を示しており、（ａ）は平面図、（ｂ）は（ａ）の側面図、（ｃ）は（ａ）のＩＢ−ＩＢ矢視断面図である。ドラムヘッド１は、筒状のシェル（胴部）の一方の開口に取り付けられて、ドラムの打面として使用される。
【００１７】
ドラムヘッド１は、一般的に用いられる膜厚２５０μｍのＰＥＴ（ポリエチレンテレフタラート）フィルムからなる円形のヘッド部１１と、フレッシュフープ１４とを有する。フレッシュフープ１４は、ヘッド部１１の外縁に連結され、ヘッド部１１を円形状に保持する。フレッシュフープ１４は、その内径寸法がシェルの外径寸法よりも大きな円環状に形成されている。
【００１８】
ヘッド部１１は、シェルの一方の開口の縁部の内側に配される有効振動膜部１２と、有効振動膜部１２の外縁に一体に形成され、シェルの一方の開口の縁部の外側に配される外側膜部１３とを有する。有効振動膜部１２は、ドラムヘッド１がシェルの一方の開口に取り付けられた状態で打撃された際に有効に振動する部分である。図１において、外側膜部１３は、ドラムヘッド１をシェルに取り付けていない状態においても、有効振動膜部１２の外縁から、有効振動膜部１２の径方向外側に向かうにしたがって有効振動膜部１２の膜厚方向に傾斜するように延在しているが、これに限ることはない。
【００１９】
図１に示すように、有効振動膜部１２の外周領域１２Ａには、複数の開口孔１５が形成されている。外周領域１２Ａとは、有効振動膜部１２のうち打撃されない領域、或いは演奏において打撃される必要がない領域のことを言う。このように開口孔１５が形成されているため、有効振動膜部１２の面積が小さくなり、打撃時の発生音の音量が通常のドラムの発生音の音量よりも小さくなる。また、有効振動膜部１２のうち演奏において打撃される領域を中央領域１２Ｂと呼ぶ。ドラムヘッド１は、ドラムスティックによって打撃される。中央領域１２Ｂを十分な大きさで確保できるように、例えば中央領域１２Ｂの半径は、有効振動膜部１２の半径の７５％に設定されるとよい。
【００２０】
各開口孔１５の内側の縁部は、有効振動膜部１２の中心に向かって突き出るように湾曲している。本実施形態では、有効振動膜部１２の径方向に沿う開口孔１５の寸法が、有効振動膜部１２の周方向に沿う開口孔１５の寸法よりも小さい。このため、中央領域１２Ｂの面積を十分に確保しながら、開口孔１５の開口面積を十分に確保することが可能となる。
【００２１】
複数の開口孔１５の各々は互いに同じ形状かつ同じ寸法に形成されている。有効振動膜部１２における各開口孔１５の開口面積は、例えば７８ｍｍ２以上に設定されるとよい。
【００２２】
また、複数の開口孔１５は、有効振動膜部１２の周方向に沿って等間隔に配列されている。同一形状かつ同一寸法の複数の開口孔１５が等間隔に配列されるため、ドラムヘッド１の対称性が良好に保たれ、打撃に伴うドラムヘッド１の全ての振動モードを開口孔１５の無いドラムヘッドに近い振動形態とすることができる。したがって、ドラムヘッド１を装着したドラムの発生音は、複数の開口孔の形状や大きさが異なるドラムヘッド、或いは開口孔の配列間隔が均一ではないドラムヘッドを装着したドラムの発生音に比べて、通常のドラムヘッド（開口孔１５の無いドラムヘッド）を装着したドラムの発生音に近い音色となる。なお、以下では、通常のドラムヘッドを装着したドラムを通常のドラムと呼ぶ。
【００２３】
図１に示すように、ドラムヘッド１の打面（第１面の一例）とは反対側の面（第２面の一例）には、開口孔１５を塞ぐ保護膜１６が開口孔１５毎に設けられている。保護膜１６は、メッシュ状の薄膜であり、一般的に用いられる線径２００μｍ程度のＰＥＴ繊維を平編みしたものである。保護膜１６は、メッシュ状であるため、通気性を有し、保護膜１６により開口孔１５が塞がれても、打撃時に開口孔１５を通じてドラムの内外に流出入する空気の流れが影響を受けることはない。
【００２４】
保護膜１６の形状は、開口孔１５の形状と近似しているが、保護膜１６の面積は、開口孔１５の面積よりも大きく、保護膜１６は、その外縁が開口孔１５の外縁を囲むように、ドラムヘッド１に固定される。そのため、保護膜１６には、開口孔１５近傍と重複する部分が生じる。この重複部分が固着部１６Ａである。固着部１６Ａは、ヘッド部１１に保護膜１６を固着する際の糊代の役割を果たす。本実施形態では、ヘッド部１１に保護膜１６を固着することで、打撃時に保護膜１６がヘッド部１１から剥離することが回避される。この固着方法には接着や粘着などの方法があるが、本実施形態では、超音波振動を利用した溶着が採用されている。なぜなら、ヘッド部１１と保護膜１６が同じＰＥＴ樹脂で形成されているためである。この溶着方法は、具体的には以下の通りである。超音波振動を用いて、ヘッド部１１の開口孔１５近傍と固着部１６Ａとの両方に摩擦熱を発生させ溶解させる。溶解した両者を圧着させ、ヘッド部１１と保護膜１６を固着させる。
なお、上記実施形態では、保護膜１６をヘッド部１１に固着する方法として超音波溶着を用いたが、これに代えて、ホットメルトによって保護膜１６をヘッド部１１に固着させても良い。ホットメルトによる固着を行う際には、ホットメルト材をヘッド部１１と保護膜１６の間に配置させ、ヘッド部１１と保護膜１６の間の部分のホットメルト材に熱を加えることによりホットメルト材が溶解する。この溶解したホットメルト材がヘッド部１１及び保護膜１６と一体化し、保護膜１６がヘッド部１１に固着される。ホットメルト材は、ヘッド部１１及び保護膜１６と同様にＰＥＴ樹脂からなり、ホットメルト材としては、例えば、厚さ２５μｍから１００μｍ、溶解温度１５０度のＰＥＴ樹脂を用いることにより、保護膜１６をヘッド部１１に良好に固着させることができる。
【００２５】
本実施形態の特徴は、開口孔１５を塞ぐ保護膜１６を設けたことにある。もし保護膜１６が設けられていないとすると、以下のようなことが生じ得る。開口孔１５の開口面積が大きく設定されているので、打撃時において、打撃に使用するドラムスティックを誤って開口孔１５に引っ掛け、演奏が阻害される。
【００２６】
また、ドラムヘッド１をシェルの一方の開口に取り付ける際に、図１では図示しない張設部によりヘッド部１１の張り具合の調整（チューニング）が行われるが、有効振動膜部１２の外周領域１２Ａに開口孔１５が形成されているため、ヘッド部１１に均一な張力をかけることができない。そのため、打撃時の有効振動膜部１２の振動が均一にならず、打撃時の発生音の音色が通常のドラムの音色からかけ離れたものになる。
【００２７】
また、打撃時に有効振動膜部１２の開口孔１５近傍に応力集中が発生し、有効振動膜部１２の耐久性が低下する。そのため、有効振動膜部１２の開口孔１５近傍が打撃されると、開口孔１５近傍を起点にドラムヘッド１が破損する虞がある。
【００２８】
しかし、ドラムヘッド１では、開口孔１５は保護膜１６により塞がれている。そのため、打撃時にドラムスティックの先端が開口孔１５の縁部に引っ掛かることがなく、演奏が阻害されることがない。また、ドラムヘッド１をシェルの一方の開口に取り付ける際に、有効振動膜部１２の外縁全体に均一に張力をかけることができる。そのため、打撃時の有効振動膜部１２の振動が均一になり、打撃時の発生音の音色を通常のドラムの音色に近づけることができる。また、ドラムヘッド１では、開口孔１５の縁部には固着部１６Ａが固着されているため、当該縁部の強度が増し、打撃時に開口孔１５近傍を起点にドラムヘッド１が破損する可能性が低減される。
【００２９】
本実施形態のドラムでは、開口孔１５は有効振動膜部１２の外周領域１２Ａに形成されているため、十分な大きさをとることができる。その結果として、開口孔１５を通じてドラムヘッド１を装着したドラムの内外に空気が流出入する際のエネルギー損失を抑制或いは防止して、打撃時の発生音におけるサステインの長さを通常のドラムに近づけることができる。
【００３０】
また、有効振動膜部１２に設けられた複数の開口孔１５は、いずれも保護膜１６により塞がれているが、保護膜１６は通気性を有するため、開口孔１５を通じてドラムの内外へ流出入する空気の流れが影響を受けることはなく、打撃時の発生音は、通常のドラムヘッドを装着したドラムの発生音に近い音色となる。
【００３１】
以上のことから、本実施形態のドラムによれば、通常のドラムの発生音に近い音色を得つつ、打撃に起因するドラムヘッドの破損の可能性を低減させ、打撃時の発生音の音量の低減を可能にする。通常のドラムの発生音に近い音色を得ることができるため、ドラムヘッド１を装着したドラムは練習用に限られず、聴衆に披露する演奏にも用いることができる。
【００３２】
また、ドラムヘッド１のドラムへの装着方法は、通常のドラムヘッドのドラムへの装着方法と同じである。このため、張設部によるヘッド部１１の張り具合の調整を、通常のドラムの場合と同様に実施することができる。
【００３３】
また、本実施形態による音量の調整量は、ドラムヘッド１の開口率に応じて定まる。例えば、ドラムヘッド１の開口率が高ければ、発生音の音量を一層小さくすることができる。したがって、開口率が異なる複数種類のドラムヘッドを用意しておくことで、演奏に必要な音量の発生音を発生するドラムヘッドを適切に選択することが可能となる。
【００３４】
＜第２実施形態＞
図２は、本発明の第２実施形態のドラムに用いられるドラムヘッド２を示しており、（ａ）は平面図、（ｂ）は（ａ）の側面図、（ｃ）は（ａ）のIIＢ−IIＢ矢視断面図である。図２では、図１におけるものと同一の構成要素には同一の符号が付されている。ドラムヘッド１とドラムヘッド２の違いは、保護膜１６の代わりに円環状の保護膜１７を設けた点である。以下、保護膜１７を中心に説明する。
【００３５】
保護膜１７は、保護膜１６と同様に、メッシュ状の薄膜であり、線径２００μｍ程度のＰＥＴ繊維を平編みしたものである。つまり、本実施形態の保護膜１７も、ヘッド部１１と同じＰＥＴ樹脂で構成されている。保護膜１７も、保護膜１６と同様に、各開口孔１５を通じてドラムヘッド２を装着したドラムの内外に流出入する空気の流れに影響を与えることはない。保護膜１７の形状は、保護膜１６の形状と異なる円環状であり、保護膜１７は、有効振動膜部１２の外縁に沿って設けられている。保護膜１６は、複数ある開口孔１５の数だけ設けられていたが、保護膜１７は１つだけ設けられている。
【００３６】
固着部１７Ａは、保護膜１７のうち開口孔１５と重複しない部分のことを言う。固着部１７Ａは、ヘッド部１１に保護膜１７を固着するための糊代の役割を果たす。保護膜１７の固着方法は、保護膜１６と同様である。
【００３７】
ドラムヘッド２はドラムヘッド１に比べて製造が容易である。なぜなら、ドラムヘッド１では、保護膜１６を開口孔１５毎に設けるのに対し、ドラムヘッド２では、ドラムヘッド２に保護膜１７を１つ設けるだけだからである。
【００３８】
以上のことから、本実施形態によれば、第１実施形態と同様の効果を奏する。さらに、本実施形態のドラムヘッド２は、第１実施形態のドラムヘッド１よりも製造が容易である。
【００３９】
＜他の実施形態＞
以上、この発明の第１および第２実施形態について説明したが、この発明には他にも実施形態があり得る。例えば次の通りである。（１）上記各実施形態では、保護膜１６および１７は、一般的に用いられる線径２００μｍ程度のＰＥＴ繊維を平編みしたものであったが、保護膜１６および１７を構成する繊維の線経や間隔はこれに限られない。打撃時にドラムスティックの先端が開口孔１５の縁部に引っ掛かり演奏が阻害されることがない程度の線径や間隔であればよい。保護膜１６に用いられるＰＥＴ繊維の繊維の線径と、繊維と繊維の間隔（オープニング）によって、保護膜１６のメッシュの開口率が、（オープニング）2＊１００／（オープニング＋線径）2の式で表されるとき、上記実施形態に用いられるＰＥＴ繊維の開口率は、３０％以上６０％以下が好適であるが、より好適な開口率は、３６％以上６０％以下である。開口率が３６％である、線径が２００μｍ、オープニングが３００μｍのＰＥＴ繊維を用いたところ、通常のドラムヘッド比べて音色の劣化の少ないドラムヘッドを得ることができた。また、開口率が６０％である、線径が４１０μｍ、オープニングが１４００μｍのＰＥＴ繊維を用いても、通常のドラムヘッドに比べて音色の劣化の少ないドラムヘッドを実現することができた。さらに、保護膜１６および１７を構成する繊維が、金属繊維やガラス繊維であってもよい。
【００４０】
また、上記各実施形態では、保護膜１６および１７はメッシュ状であったが、ドラムヘッド１および２を装着したドラムの各開口孔１５を通じてドラムの内外に流出入する空気の流れが影響を受けなければ、メッシュ状に限られない。要は、通気性を有する保護膜により、開口孔１５を塞ぐ態様であればよい。例えば、保護膜１６および１７の代わりに、１方向のみに線材を配列した保護膜により開口孔１５を塞ぐ、といった具合である。さらに、上記実施形態では、保護膜１６および１７は、ドラムヘッド１の打面とは反対側の面に設けられていたが、ドラムヘッド１の打面に設けられていてもよい。
【００４１】
（２）上記各実施形態では、有効振動膜部１２に開口孔１５が形成されていたが、有効振動膜部１２と外側膜部１３の両方にわたって、複数の開口孔１５'が形成されていてもよい。図３は、本発明の変形例（２）のドラムに用いられるドラムヘッド３を示しており、（ａ）は平面図、（ｂ）は（ａ）の側面図、（ｃ）は（ａ）のIIIＢ−IIIＢ矢視断面図である。ドラムヘッド３の開口孔１５'は、図３に示すように、フレッシュフープ１４に達している。各開口孔１５'の内側の縁部は、有効振動膜部１２の中心に向かって突き出るように湾曲している。保護膜１８は、開口孔１５'を塞ぐように設けられ、保護膜１８の形状は、開口孔１５'の形状と近似しているが、保護膜１８の面積は、開口孔１５'の面積よりも大きく形成されている。固着部１８Ａは、保護膜１８をヘッド部１１に固着する際の糊代である。保護膜１８は、保護膜１６および１７と同様に、ＰＥＴ繊維を平編みしたものであり、保護膜１８の線径や間隔、ヘッド部１１との固着方法等も、保護膜１６および１７と同様である。なお、第２実施形態の保護膜１７と同様に、保護膜１８を円環状に形成し、保護膜１８をヘッド部１１の外縁に沿って設けてもよい。さらに、保護膜１８がドラムヘッド１の打面とは反対側の面に設けられていてもよいし、打面に設けられていてもよい。
【００４２】
開口孔１５'がフレッシュフープ１４に達していることから判るように、開口孔１５'の面積は、開口孔１５の面積よりも大きい。そのため、ドラムヘッド３の方がドラムヘッド１よりも開口率が高くなり、打撃時の発生音の音量をより低減できる。さらに、開口孔１５'を通じてドラムヘッド３を装着したドラムの内外に空気が流出入する際のエネルギー損失を抑制あるいは防止する効果を高くすることができ、打撃時の発生音におけるサステインの長さを通常のドラム（開口孔１５'の無いドラムヘッドを装着したドラム）により近づけることができる。
【００４３】
（３）上記各実施形態では、各開口孔１５の全面を保護膜１６或いは１７で塞いでいたが、各開口孔１５の一部のみを保護膜１６或いは１７で塞いでもよい。
【符号の説明】
【００４４】
１，２，３……ドラムヘッド、１１……ヘッド部、１２……有効振動膜部、１２Ａ……外周領域、１２Ｂ……中央領域、１３……外側膜部、１４……フレッシュフープ、１５，１５'……開口孔、１６，１７，１８……保護膜、１６Ａ，１７Ａ，１８Ａ……固着部。
【図１】
2017056993.tif 000003
【図２】
2017056993.tif 000004
【図３】
2017056993.tif 000005
【国際調査報告】
2017056993.tif 000006
2017056993.tif 000007